(57)【要約】【課題】  天井等から垂下するように保持させる場合に良好に使用できるケーブル保持具を提供する。【解決手段】  コ字状に形成して折り曲げた両先端部に係止部５を備えた保持部材２と、帯状に形成されて保持部材２を縦に複数装着するために係止孔６を多数連設してなる装着部材３と、装着部材３を垂下するように連結するボルト状の垂下部材４とから成り、垂下部材４を挿入連結する装着部材３の丸孔７は、垂下部材４の径より大きく形成し、遊びを有して垂下部材４に連結させた。【選択図】  図１
2006025494.tif 000002
【特許請求の範囲】
【請求項１】
ケーブルを保持する保持部材と、少なくとも１つの前記保持部材を装着可能な装着部材と、一端に固定対象に固定する為の固定部を備えると共に、他端に前記装着部材を垂下するよう連結する連結部を備えた垂下部材とを有し、前記装着部材は、揺動可能に前記垂下部材から垂下されることを特徴とするケーブル保持具。
【請求項２】
保持部材はコ字状に形成され、折り曲げられた両端に装着部材に挿入係止する係止部を設けると共に、前記装着部材に前記係止部を挿入する係止孔を設け、前記係止部を前記係止孔に挿入操作することで装着し、ケーブルを保持部材と装着部材とで握持するよう保持する請求項１記載のケーブル保持具。
【請求項３】
装着部材は、係止孔を縦に多数備えた縦長の鋼板から成り、保持部材を縦に複数装着可能とし、上端には垂下部材に連結するための連結孔が穿設されて成る請求項１又は２記載のケーブル保持具。
【発明の詳細な説明】
【技術分野】
【０００１】
本発明は、電線等のケーブルを保持するケーブル保持具に関する。
【背景技術】
【０００２】
電線や光ファイバー等のケーブルの配線工事をする場合、ケーブルは適宜間隔で保持される。従来、壁面や箱体内等でケーブルを保持するケーブル保持具としては、例えば特許文献１或いは特許文献２に示すようなものがある。
一方で、天井裏等の高所にケーブルを配線する場合は、専用の保持具はなく図６に示すように、天井の梁等から針金等を垂下させ、垂下させた下端部でケーブルを結束保持したり、垂下した針金を撚って個々のケーブルを順次結束していた。
【特許文献１】特開平１１−１２２７５８号公報
【特許文献２】特開２００３−１６３４７１号公報
【発明の開示】
【発明が解決しようとする課題】
【０００３】
上述するように、壁面においてケーブルを保持するのは専用の保持具により、簡易な作業で支持させることができるが、高所或いは空中にケーブルを配設する場合、針金等を使用して現場で支持手段を作製しているため、ケーブル保持作業が面倒であり、時間を要していた。また、針金等を使用する場合、保持作業する際の結束作業を１回で済まそうとするため、作業者は多くのケーブルをまとめて結束することが多く、結束した中心付近のケーブルが異常加熱する恐れがあった。
そこで、本発明はこのような問題点に鑑み、ケーブルを天井等から垂下するように保持させる場合に良好に使用できるケーブル保持具を提供することを目的とする。
【課題を解決するための手段】
【０００４】
上記課題を解決する為に、請求項１に記載の発明は、ケーブルを保持する保持部材と、少なくとも１つの前記保持部材を装着可能な装着部材と、一端に固定対象に固定する為の固定部を備えると共に、他端に前記装着部材を垂下するよう連結する連結部を備えた垂下部材とを有し、前記装着部材は、揺動可能に前記垂下部材から垂下されることを特徴とする。
この構成により、垂下部材を介して天井等から垂下させた装着部材に、保持部材を装着することでケーブルを保持でき、針金を使用する必要が無くなる。また、保持部材の大きさを規定すれば、１つの保持部材が保持するケーブル数を制限でき、ケーブルの異常加熱を防ぐことができる。
更に、装着部材は揺動可能に垂下部材に連結されるので、保持させたケーブルを引っ張り操作しても、装着部材が揺動してストレスを吸収でき、装着部材や保持部材に大きなストレスが加わるようなことがなく、外れ難い。
【０００５】
請求項２の発明は、請求項１に記載の発明において、保持部材はコ字状に形成され、折り曲げられた両端に装着部材に挿入係止する係止部を設けると共に、前記装着部材に前記係止部を挿入する係止孔を設け、前記係止部を前記係止孔に挿入操作することで装着し、ケーブルを保持部材と装着部材とで握持するよう保持することを特徴とする。
この構成により、保持部材を挿入操作するだけでケーブルを把持するように保持するので、保持操作が容易であるし、保持したケーブルが抜け落ちるようなことがない。
【０００６】
請求項３の発明は、請求項１又は２に記載の発明において、装着部材は、係止孔を縦に多数備えた縦長の鋼板から成り、保持部材を縦に複数装着可能とし、上端には垂下部材に連結するための連結孔が穿設されて成ることを特徴とする。
この構成により、装着部材は、鋼板に孔を穿設した簡素な形状とすることができ、低コストで作製できる。また、縦に保持部材を複数装着できるので、１つの装着部材に複数のケーブル保持部を設けることができ、ケーブルを種類別に保持させる場合に有効である。
【発明の効果】
【０００７】
本発明によれば、天井等から垂下部材を介して垂下させた装着部材に、保持部材を装着するだけでケーブルを保持でき、針金等を使用して現場で保持手段を作製する必要が無くなる。また、保持部材の大きさを規定すれば、１つの保持部材が保持するケーブル数を制限でき、ケーブルの異常加熱を防ぐことができる。
更に、装着部材は揺動可能に垂下部材に連結されるので、保持させたケーブルを引っ張り操作しても、装着部材や保持部材に大きなストレスが加わるようなことがなく、外れ難い。
【発明を実施するための最良の形態】
【０００８】
以下、本発明を具体化した実施の形態を、図面に基づいて詳細に説明する。図１は本発明に係るケーブル保持具の実施形態の一例を示す斜視図であり、１は電線等のケーブル、２はケーブル１を保持する保持部材、３は保持部材２を装着する装着部材、４は装着部材３を垂下させて天井等に取り付けるための垂下部材を示している。
【０００９】
保持部材２は、樹脂成形により略コ字状に形成され、折り曲げ形成した両先端部には装着部材３に装着するための係止部５が設けられている。図２は、保持部材２を装着部材３に装着した状態の要部断面説明図を示し、係止部５は、装着部材３に設けた係止孔に挿入して係止するよう形成され、抜け止め用の係止段部５ａを備え、先端に向けて細く（薄く）形成され、矢印状に形成されている。
そして、保持部材２は、係止部５間の距離の異なる複数の大きさのものが用意され、係止部間の距離は、後述する装着部材３の係止孔の間隔に合わせて設けられている。
【００１０】
装着部材３は帯状の鋼板で形成され、一端が略９０度折り曲げられている。その長辺側には、保持部材２の係止部５を挿入係止して保持部材２を装着する四角形状の係止孔６が多数連設され、端辺側には垂下部材４に連結する為の丸孔７が穿設されている。図２に示すように、係止孔６に挿入した係止部５は係止段部５ａが係止孔６端部に係止して装着される。また、保持部材２の両端部に設けた係止部５の間隔は、係止孔６の間隔より僅かに大きく形成され、安定して係止動作し装着状態を維持できるよう形成されている。
尚、装着部材２を取り外す場合は、両端の係止部５が互いに近づくよう把持操作することで、係止部５が係止孔６内を移動して係止解除操作でき、容易に取り外しできる。
【００１１】
垂下部材４は、全長に亘りねじ溝が切られたボルト状の棒体であり、図１では梁９に取り付けた状態を示している。梁９にはネジ等で固着したＬ字金具１０が配置され、このＬ字金具１０に垂下部材４の一端がナット１１により固定され、垂下するよう取り付けられている。
このように梁９に取り付けられた垂下部材４の下端は、装着部材３の丸孔７に挿入され、ナット１２が取り付けられる。丸孔７の径は、垂下部材４の径より僅かに大きく形成され、垂下部材４を挿入しただけの状態で装着部材３は垂下部材に連結され、前後左右に揺動可能となっている。
【００１２】
このように、垂下部材、装着部材、保持部材を用いてケーブルを保持できるので、針金等を使用して現場で保持手段を作製する必要が無くなり、針金を撚ったりせずに保持作業を簡易に行うことができる。また、保持部材の大きさを規定すれば、１つの保持部材が保持するケーブル数を制限でき、ケーブルの異常加熱を防ぐことができる。
また、装着部材は揺動可能に垂下部材に連結されるので、保持させたケーブルを引っ張り操作しても、装着部材や保持部材に大きなストレスが加わるようなことがなく、外れ難い。
また、保持部材を挿入操作するだけでケーブルを握持するように保持するので、保持操作が容易であるし、保持したケーブルが抜け落ちるようなことがない。
また、装着部材は、鋼板に孔を穿設した簡素な形状で済むので低コストで作製できるし、保持部材を複数装着できるので、１つの装着部材に複数のケーブル保持部を設けることができ、ケーブルを種類別に保持させる場合に有効である。
更に、大きさの異なる保持部材を用意することでケーブルの本数、太さに合わせて良好に保持操作できる。
【００１３】
図３は、保持部材２の他の形状を示している。図３では、上部を開放してＵ字状にケーブル保持部１４を形成し、装着部材３に装着するための係止部５をケーブル保持部１４の一方のみに設けている。このように形成してもよく、上記図１と同一の装着部材３に対して適用でき、装着した状態で上方が開放されているので、保持部材を外すことなくケーブルを自由に出し入れできる。
【００１４】
図４は、装着部材３の他の形状を示している。図４（ａ）では、横長に形成され、縦配置された係止孔６が横方向に多数連設されている。この場合、保持部材２は横向きで装着でき、上下方向に配設されたケーブルを良好に保持できる。また、図４（ｂ）では、同様に横長であるが、係止孔６は横配置され、横方向に多数連設されている。このように形成してもよく、横方向に配設されたケーブルを高さ方向に多くのスペースを取ることなく保持できる。更に図４（ｃ）は、垂下部材に取り付ける為の丸孔７も係止孔６と同一面に形成されている。このように同一面とすることで、垂下部材が横方向に向けて梁等に設けられている場合、装着部材３を良好に垂下させることができる。
【００１５】
尚、上記実施形態では、装着部材３に複数の保持部材２を装着可能としているが、少なくとも１つ装着できるだけでも良い。また、垂下部材４を梁に取り付ける場合を説明しているが、例えば鉄骨に取り付ける場合は、図５に示すように周知のＣ型金具１５を用いることで、垂下部材４を下方から螺入して取り付け、対向する上方からボルト１６を螺入し、双方から締め付けることで鉄骨１７端部を挟持するように取り付けることができる。
また、保持部材２の係止部５を、係止段部５ａを設けたあと先端に向けて細くした形状としているが、抜き取り易くするために係止部自体に弾性を持たせて、係止解除操作可能に形成してもよい。
【図面の簡単な説明】
【００１６】
【図１】本発明の実施形態の一例を示すケーブル保持具の斜視図である。
【図２】図１の保持部係止状態を示す説明図である。
【図３】保持部材の他の例を示す斜視図である。
【図４】装着部材の他の例を示し、（ａ）はケーブルを縦方向に保持する形態、（ｂ）はケーブルを水平方向に保持する形態、（ｃ）は横方向に設けられた垂下部材に装着する形態を示している。
【図５】垂下部材固定形態の他の例を示す説明図である。
【図６】従来のケーブル保持状態を示す説明図である。
【符号の説明】
【００１７】
１・・ケーブル、２・・保持部材、３・・装着部材、４・・垂下部材、５・・係止部、６・・係止孔。
【図１】
2006025494.tif 000003
【図２】
2006025494.tif 000004
【図３】
2006025494.tif 000005
【図４】
2006025494.tif 000006
【図５】
2006025494.tif 000007
【図６】
2006025494.tif 000008